(57)【要約】      （修正有）【課題】既存装置を改造することなく繰越炭を低減させる。【解決手段】石炭バンカ１０Ａ〜１０Ｆに対する石炭の供給方法であって、コンベア３１上を搬送される石炭を供給対象の石炭バンカ１０Ａ〜１０Ｆにスクレーパ装置４０Ａ〜４０Ｅによって振り分けると共に、前記スクレーパ装置４０Ａ〜４０Ｅを通過して下流に繰り越される繰越炭Ｕを、１段目のスクレーパ装置４０Ａ〜４０Ｅより下流に配置された２段目のスクレーパ装置４０Ｂ〜４０Ｅを作動させることによって、前記供給対象の石炭バンカ１０Ａ〜１０Ｅの下流側に位置する稼働中の石炭バンカ１０Ｂ〜１０Ｆに振り分けて処理する。【選択図】図８
2011251809.tif 000002
【特許請求の範囲】
【請求項１】
石炭バンカに対する石炭の供給方法であって、
コンベア上を搬送される石炭を供給対象の石炭バンカにスクレーパ装置によって振り分けると共に、
前記スクレーパ装置を通過して前記コンベアの下流に繰り越される繰越炭を、繰り越しを発生させた１段目のスクレーパ装置から見てそれより下流に配置された２段目のスクレーパ装置を作動させることによって、前記供給対象の石炭バンカの下流側に位置する稼働中の石炭バンカに振り分けて処理することを特徴とする石炭の供給方法。
【請求項２】
前記繰越炭が振り分けられる前記石炭バンカは、前記供給対象の石炭バンカを除いて貯炭レベルが最も低い石炭バンカであることを特徴とする請求項１に記載の石炭の供給方法。
【請求項３】
前記繰越炭が振り分けられる前記石炭バンカの貯炭レベルが、満杯レベルより低い規定値１になることを条件に、３段目のスクレーパ装置として、前記供給対象の石炭バンカを除いて貯炭レベルが最も低い石炭バンカのスクレーパ装置を作動させることを特徴とする請求項２に記載の石炭の供給方法。
【請求項４】
前記繰越炭が振り分けられる前記石炭バンカの貯炭量が、前記規定値１より満杯レベルに近い規定値２に達することを条件に、前記２段目のスクレーパ装置を停止させることを特徴とする請求項３に記載の石炭供給方法。
【請求項５】
前記繰越炭が振り分けられる前記石炭バンカは、前記供給対象の石炭バンカと同じプラントであることを特徴とする請求項１ないし請求項４のいずれか一項に記載の石炭の供給方法。
【請求項６】
石炭供給システムであって、
一列状に配置された複数の石炭バンカに対して石炭を供給するコンベアと、
前記コンベア上において、前記複数の石炭バンカに対応して各々設置されたスクレーパ装置と、
前記各石炭バンカに対してそれぞれ設けられ、各石炭バンカの貯炭レベルを検出するレベル検出センサと、
前記スクレーパ装置を制御するコントローラと、を備えてなると共に、
前記コントローラは、
供給対象の石炭バンカに対応するスクレーパ装置を作動させることにより、前記コンベア上を搬送される石炭を供給対象の石炭バンカに振り分ける第一処理と、
前記スクレーパ装置を通過して前記コンベアの下流に繰り越される繰越炭を、繰り越しを発生させた１段目のスクレーパ装置から見てそれより下流に配置された２段目のスクレーパ装置を作動させることによって、前記供給対象の石炭バンカの下流側に位置する稼働中の石炭バンカに振り分ける第二処理と、を実行することを特徴とする石炭供給システム。
【請求項７】
前記コントローラは、前記繰越炭が振り分けられる前記石炭バンカとして、前記供給対象の石炭バンカを除いて貯炭レベルが最も低い石炭バンカを、前記レベル検出センサの出力に基づいて、自動選択することを特徴とする請求項６に記載の石炭供給システム。
【請求項８】
前記コントローラは、前記繰越炭が振り分けられる前記石炭バンカの貯炭レベルが、満杯レベルより低い規定値１になることを条件に、３段目のスクレーパ装置として、前記供給対象の石炭バンカを除いて貯炭レベルが最も低い石炭バンカのスクレーパ装置を作動させることを特徴とする請求項７に記載の石炭の供給システム。
【請求項９】
前記コントローラは、前記繰越炭が振り分けられる前記石炭バンカの貯炭量が、前記規定値１より満杯レベルに近い規定値２に達することを条件に、前記２段目のスクレーパ装置を停止させることを特徴とする請求項８に記載の石炭供給システム。
【発明の詳細な説明】
【技術分野】
【０００１】
本発明は、石炭の供給方法、及び石炭供給システムに関する。
【背景技術】
【０００２】
一般に、火力発電プラントでは、燃料となる石炭をコンベアで送っている。そして、コンベアには、三角形状のスクレーパを備えたスクレーパ装置が設けられており、コンベアベルト上の石炭をスクレーパによりコンベア脇に振り分けて各石炭バンカに投炭する構成をとっている。
【０００３】
しかし、コンベアベルトがスクレーパに接触すると、コンベアベルトを傷付けてしまうから、両間には隙間を持たせる必要があり、どうしても繰越炭が出てしまう。この種の繰越炭を低減させる技術として、スクレーパの下流に副スクレーパを設けたものがある（下記特許文献１、２など）。上記構成にすれば、主側のスクレーパの下側を通過する繰越炭を副側のスクレーパにて振り分けることができ、繰越炭を低減させる効果がそれなりにある。
【先行技術文献】
【特許文献】
【０００４】
【特許文献１】特許第３４３５７３８号公報
【０００５】
【特許文献２】特開２００７−２１０７３６号公報
【発明の概要】
【発明が解決しようとする課題】
【０００６】
しかし、繰越炭には、上記のようにスクレーパの下を通過するものの他に、スクレーパの上を通過するものもある。これは、搬送する石炭が湿っている場合に、それが塊となって、スクレーパを乗り越えるからである。通常、副側のスクレーパは、主側のスクレーパに比べて高さが低いため、湿った石炭塊を振り分けることは困難である。従って、従前の構成では、主側のスクレーパの上を通過するような繰越炭を低減させる効果は期待できない。
【０００７】
また、上記のような上を通過する繰越炭を低減させるには、既存のスクレーパを改造して壁の高さを高くすればよい。しかし、改造をするとなると、その間は石炭の供給がストップしてしまい発電出来ない状態になるから現実的でない。
【０００８】
本発明は上記のような事情に基づいて完成されたものであって、既存装置を改造することなく繰越炭を低減させる方法を提案すること目的とする。
【課題を解決するための手段】
【０００９】
本発明は、石炭バンカに対する石炭の供給方法であって、コンベア上を搬送される石炭を供給対象の石炭バンカにスクレーパ装置によって振り分けると共に、前記スクレーパ装置を通過して前記コンベアの下流に繰り越される繰越炭を、繰り越しを発生させた１段目のスクレーパ装置から見てそれより下流に配置された２段目のスクレーパ装置を作動させることによって、前記供給対象の石炭バンカの下流側に位置する稼働中の石炭バンカに振り分けて処理するところに特徴を有する。尚、１段目、２段目など「段」の文言はスクレーパ装置の作動段数を表しており、１段目であれば、１番目に作動したことを意味し、２段目であれば、２番目に作動したことを意味する。
【００１０】
本発明は、石炭供給システムであって、一列状に配置された複数の石炭バンカに対して石炭を供給するコンベアと、前記コンベア上において、前記複数の石炭バンカに対応して各々設置されたスクレーパ装置と、前記各石炭バンカに対してそれぞれ設けられ、各石炭バンカの貯炭レベルを検出するレベル検出センサと、前記スクレーパ装置を制御するコントローラと、を備えてなると共に、前記コントローラは、供給対象の石炭バンカに対応するスクレーパ装置を作動させることにより、前記コンベア上を搬送される石炭を供給対象の石炭バンカに振り分ける第一処理と、前記スクレーパ装置を通過して前記コンベアの下流に繰り越される繰越炭を、繰り越しを発生させた１段目のスクレーパ装置から見てそれより下流に配置された２段目のスクレーパ装置を作動させることによって、前記供給対象の石炭バンカの下流側に位置する稼働中の石炭バンカに振り分ける第二処理と、を実行するところに特徴を有する。尚、１段目、２段目など「段」の文言はスクレーパ装置の作動段数を表しており、１段目であれば、１番目に作動したことを意味し、２段目であれば、２番目に作動したことを意味する。
【００１１】
このものでは、１段目のスクレーパ装置を繰越した繰越炭を２段目のスクレーパ装置にて石炭バンカに振り分けるようにしている。そのため、既存のスクレーパ装置について、これを改造する必要がなく余分なコストがかからない。また、１段目のスクレーパ装置の上を通過する石炭塊の多くを、２段目のスクレーパ装置で石炭バンカに振り分けることが可能であり、繰越炭の低減効果が高い。これは、２段目のスクレーパ装置が１段目のスクレーパ装置と同様に高い壁だからである。そして、振り分け先の石炭バンカは、稼働中の石炭バンカであるから、振り分けられた繰越炭は消費されることとなり、バンカ内にて溜まることがない。
【００１２】
これら発明の実施態様として以下の構成とすることが好ましい。
・繰越炭が振り分けられる石炭バンカを、供給対象の石炭バンカを除いて貯炭レベルが最も低い石炭バンカとする。貯炭レベルの低い石炭バンカは、貯炭レベルが高いものに比べて満杯に至るまでに投炭できる量が多い。そのため、多量の繰越炭を処理することが可能となる。
【００１３】
・繰越炭が振り分けられる２段目のスクレーパ装置に位置する石炭バンカの貯炭レベルが、満杯レベルより低い規定値１（バンカ内が石炭で満杯となる満杯レベルに対して、ユーザが任意に定めた余裕分Δ１だけ低いレベル）になることを条件に、３段目のスクレーパ装置として、前記供給対象の石炭バンカを除いて貯炭レベルが最も低い石炭バンカのスクレーパ装置を作動させる。このように、２段目、３段目のスクレーパ装置を同時作動させるようにしておけば、繰越炭の振り分け先が複数になるから、より多くの繰越炭を処理できる。
【００１４】
・繰越炭が振り分けられる石炭バンカの貯炭量が、規定値１より満杯レベルに近い規定値２に達することを条件に、２段目のスクレーパ装置を停止させる。このようにすることで、繰越炭の振り分け先となる２段目の石炭バンカに繰越炭が過剰に振り分けられることを防止することが可能となり、２段目の石炭バンカ１０の貯炭レベルが満杯レベルを超えることがない。仮に、貯炭レベルが満杯レベルを超える事態が生じると、バンカ上に盛られた繰越炭がコンベアベルトに干渉、接触してコンベアの駆動に支障を与えることが懸念されるが、本例であれば、そのような心配がない。
【００１５】
・繰越炭を振り分ける石炭バンカを、供給対象の石炭バンカと同じプラントにする。このようにすることで、下流側に位置する発電プラントの石炭バンカに、上流側の発電プラント用の石炭（繰越炭）が混ざることを防止できる。
【発明の効果】
【００１６】
本発明によれば、既存の設備（スクレーパ装置）を改造することなく、繰越炭を低減できる。
【図面の簡単な説明】
【００１７】
【図１】本発明の実施形態１における火力発電プラントＰの概略図
【図２】コンベア及びその周辺構造を示す図
【図３】スクレーパ装置の作動状態を示す図
【図４】その斜視図
【図５】石炭の振り分け動作のサイクルを示す図
【図６】スクレーパ装置を２段作動させた状態を示す図
【図７】その斜視図（スクレーパ装置４０Ａ、４０Ｅの２段作動を示す）
【図８】その斜視図（スクレーパ装置４０Ｂ、４０Ｅの２段作動を示す）
【図９】石炭の振り分け動作のサイクルを示す図
【図１０】実施形態２におけるコンベア及びその周辺構造を示す図
【図１１】実施形態３における石炭供給システムのシステム構成を示すブロック図
【図１２】石炭バンカの貯炭レベルに関する設定（規定値１、規定値２）を示す図
【図１３】スクレーパ装置を２段作動させた状態を示す図
【図１４】石炭の振り分けシーケンスを示す図
【図１５】スクレーパ装置を３段作動させた状態を示す図（３段目が下流にあたるケース）
【図１６】石炭の振り分けシーケンスを示す図（３段目が下流にあたるケース）
【図１７】規定時間の説明図
【図１８】スクレーパ装置が３段作動から２段作動に戻った状態を示す図
【図１９】スクレーパ装置を３段作動させた状態を示す図（３段目が上流にあたるケース）
【図２０】石炭の振り分けシーケンスを示す図（３段目が上流にあたるケース）
【発明を実施するための形態】
【００１８】
＜実施形態１＞
本発明の実施形態１を図１ないし図９によって説明する。
１．発電プラントＰの全体構成の説明
図１には、本発明を適用可能な火力発電プラントＰの概略図を示した。この火力発電プラントＰには、石炭を含む燃料を燃焼させるためのボイラ１が備えられている。
【００１９】
ボイラ１は、内部で微粉炭を燃焼させる火炉２と、火炉２の側方に配され、上部で火炉２と連結される排ガス流路３とを有している。火炉２には、石炭バンカ１０と、この石炭バンカ１０に貯蔵された石炭の供給量を調整しつつ供給する給炭機１１と、微粉炭機１２とが接続されている。微粉炭機１２は、給炭機１１から供給された石炭を微細な粒度に粉砕してボイラ１のバーナ５へ供給する機能を果たすものである。これにより、石炭の微粉がバーナ５にて燃焼され、火炉２にて高温の燃焼ガスが生成される。
【００２０】
尚、この実施形態では、火炉２にバーナ５が６台（図１中は４台のみを示す）設けられていることから、石炭バンカ１０、給炭機１１及び微粉炭機１２についてもそれぞれ６台ずつ設けられている（図１中は１台のみ示す）。そして、本発電プラントＰでは、全６台のバーナ５のうち５台のバーナ５を使用して運転するようにしており、残る１台のバーナ５は予備用となっている。
【００２１】
一方、火炉２の上部および排ガス流路３には、過熱器６の配管およびこの過熱器６に接続される節炭器７の配管が配置されている。そして、給水ポンプ８により圧送された水は、節炭器７および過熱器６の配管内部を順次通過する際に、燃焼ガスにより加熱され、最終的に高温・高圧の蒸気となってタービンＴＢに供給される構成となっている。そして、高温、高圧の蒸気の供給によりタービンＴＢが回転すると、タービンＴＢに直結された発電機Ｇにて発電される構成となっている。
【００２２】
また、排ガス流路３の出口は、煙道１５と称される筒状の配管によって煙突１７に接続されており、排ガスは煙道を通って煙突より廃棄される構成となっている。尚、この煙道１５上には排ガスを処理するための処理設備１９が配置されている。
【００２３】
２．供給装置３０の説明
供給装置３０は、石炭バンカ１０に石炭を供給するものであり、コンベア３１と、コンベア３１上を送られる石炭を石炭バンカ１０に振り分けるスクレーパ装置４０で構成されている。石炭バンカ１０（１０Ａ〜１０Ｆの総称）は、図２に示すように１０Ａ〜１０Ｆの６台が一列状に並んで配置されており、バンカ群ＢＫを構成している。
【００２４】
コンベア３１は無端状のコンベアベルト３５と、コンベアベルト３５の両端に設けられたローラ３６とからなり、ローラ３６を駆動させると、コンベアベルト３５が、図中矢印の方向に循環駆動する構成となっている。コンベア３１は複数台が直列的につながっており、貯炭場の端からバンカ群ＢＫに向かって延びている。そして、最下流のコンベア３１はバンカ群ＢＫの上方をバンカ１０の並びに沿って延びており、コンベア終端が最下流の石炭バンカ１０Ｆの丁度、真上に臨む配置になっている。
【００２５】
スクレーパ装置４０（４０Ａ〜４０Ｅの総称）は、最下流のコンベア３１上において、最下流を除く各石炭バンカ１０Ａ〜１０Ｅに対応して設けられており、スクレーパ本体４１とリフト装置４５からなる。図２、図３にて示すように、リフト装置４５は、コンベアベルト３５を下から持ち上げるようになっており、コンベアベルト３５を昇降操作できるようになっている。
【００２６】
スクレーパ本体４１は、セラミック製であってＶ字型をなす。係るスクレーパ本体４１はコンベアベルト３５の上方において、Ｖ字の先端を上流側に向けた状態で固定されている。このスクレーパ本体４１の横幅はコンベア幅よりやや長めに設定されている。
【００２７】
そのため、リフト装置４５を作動させてコンベアベルト３５を持ち上げると、図３にて示すように、ベルト上面（石炭の搬送面）がスクレーパ本体４１に接近する（このとき、両間の隙間が数ミリ程度になる）。以上のことから、コンベア３１上の石炭は、スクレーパ本体４１を通過するときにＶ字の斜面によってコンベア脇に押し流される。これにて石炭を供給対象となる石炭バンカ１０Ａ〜１０Ｅに振り分けることができる。尚、図４の例では、スクレーパ装置４０Ｂを作動させて、石炭を先頭から２台目の石炭バンカ１０Ｂに振り分けている。
【００２８】
３．各石炭バンカ１０Ａ〜１０Ｆに対する石炭の供給方法
石炭は上記したコンベア３１によって貯炭場から運ばれ、稼働用として割り当てられた５つの石炭バンカに対して供給される。ここでは、６つの石炭バンカ１０Ａ〜１０Ｆのうち、１０Ａ〜１０Ｅの５つの石炭バンカが稼働中であるとする（最下流に位置する１０Ｆの石炭バンカは休止中）。この場合には、図５に示すように、稼働として割り当てられた５つの石炭バンカ１０Ａ〜１０Ｅに対応する５つのスクレーパ装置４０Ａ〜４０Ｅにより、石炭の振り分けが順に行われることとなる。
【００２９】
すなわち、１回目の振り分けでは、スクレーパ装置４０Ａが作動してコンベア３１を通じて送られる石炭が石炭バンカ１０Ａに供給される。次に、２回目の振り分けでは、スクレーパ装置４０Ｂが作動してコンベア３１を通じて送られる石炭が石炭バンカ１０Ｂに供給される。次に、３回目の振り分けでは、スクレーパ装置４０Ｃが作動してコンベア３１を通じて送られる石炭が石炭バンカ１０Ｃに供給される。そして、４回目の振り分けでは、スクレーパ装置４０Ｄが作動してコンベア３１を通じて送られる石炭が石炭バンカ１０Ｄに供給される。５回目の振り分けでは、スクレーパ装置４０Ｅが作動してコンベア３１を通じて送られる石炭が石炭バンカ１０Ｅに供給される。
【００３０】
これら全５回の振り分け動作を１サイクルとして、これを繰り返し行うことで、発電に消費された石炭が、稼働として割り当てられた各石炭バンカ１０Ａ〜１０Ｅに対して補充（供給）されることとなる。尚、図５では２段目として「４０Ｅ」のスクレーパ装置を一段目と同時作動させた図としてある（詳しくは次に説明する）。
【００３１】
次に、繰越炭Ｕの処理方法について説明する。繰越炭Ｕとは、図４に示すようにスクレーパ装置４０によって石炭を所定の石炭バンカ１０に振り分けたときに、そのスクレーパ装置４０を通過して下流側に繰り越される石炭を意味する。尚、繰越炭Ｕには、スクレーパ本体４１の下を通り抜ける繰越炭Ｕと、スクレーパ本体４１の上を通り越す繰越炭（石炭が雨で湿り石炭塊となるケース）とがある。
【００３２】
本処理方法では、上記繰越炭Ｕを、繰り越しを発生させた１段目のスクレーパ装置４０から見て、それより下流に配置された他のスクレーパ装置４０（稼働中の石炭バンカ１０に対応するスクレーパ装置に限る）を、作動させることにより処理する。
【００３３】
具体的に説明すると、図５に示すように、１回目の振り分け動作では、供給対象である石炭バンカは「１０Ａ」であり、それに対応するスクレーパ装置は「４０Ａ」である。従って、繰り越しを発生させる１段目のスクレーパ装置は「４０Ａ」であり、「４０Ａ」から見て、それより下流側に配置された他のスクレーパ装置４０が「４０Ａ」とともに同時作動される。図５、図６の例であれば、スクレーパ装置「４０Ｅ」が「４０Ａ」と同時作動される。
【００３４】
これにより、図７に示すように、１段目のスクレーパ装置「４０Ａ」を繰り越した繰越炭Ｕは、２段目のスクレーパ装置「４０Ｅ」によって石炭バンカ１０Ｅに振り分けられる。
【００３５】
また、２回目の振り分け動作では、供給対象である石炭バンカは「１０Ｂ」であり、それに対応するスクレーパ装置は「４０Ｂ」である。従って、繰り越しを発生させる１段目のスクレーパ装置は「４０Ｂ」であり、「４０Ｂ」から見て、それより下流側に配置された他のスクレーパ装置４０が「４０Ｂ」とともに同時作動される。図５の例であれば、スクレーパ装置「４０Ｅ」が「４０Ｂ」と同時作動される。
【００３６】
これにより、図８に示すように、１段目のスクレーパ装置「４０Ｂ」を繰り越した繰越炭Ｕは、２段目のスクレーパ装置「４０Ｅ」によって石炭バンカ１０Ｅに振り分けられる。
【００３７】
また、３回目の振り分け動作では、供給対象である石炭バンカは「１０Ｃ」であり、それに対応するスクレーパ装置は「４０Ｃ」である。従って、この場合には、「４０Ｃ」から見てそれより下流側に配置された他のスクレーパ装置（図５の例では「４０Ｅ」）が、「４０Ｃ」とともに同時作動される。これにより、１段目のスクレーパ装置「４０Ｃ」を繰り越した繰越炭Ｕは、２段目のスクレーパ装置４０Ｅによって石炭バンカ１０Ｅに振り分けられる。
【００３８】
また、４回目の振り分け動作では、供給対象である石炭バンカは「１０Ｄ」であり、それに対応するスクレーパ装置は「４０Ｄ」である。従って、この場合には、「４０Ｄ」から見てそれより下流側に配置された他のスクレーパ装置（図５の例では「４０Ｅ」）が、「４０Ｄ」とともに同時作動される。これにより、１段目のスクレーパ装置「４０Ｄ」を繰り越した繰越炭Ｕは、２段目のスクレーパ装置４０Ｅによって石炭バンカ１０Ｅに振り分けられる。
【００３９】
以上のことから、各スクレーパ装置「４０Ａ〜４０Ｄ」を繰り越した繰越炭Ｕは、いずれも石炭バンカ１０Ｅに振り分けられる。よって、繰越炭Ｕを軽減することが可能となる。
【００４０】
また、５回目の振り分け動作では、供給対象である石炭バンカは「１０Ｅ」であり、それに対応する１段目のスクレーパ装置は「４０Ｅ」である。この場合には、「４０Ｅ」から見てそれより下流側に配置された他のスクレーパ装置は存在しないから、「４０Ｅ」が単独で作動される。そのため、スクレーパ装置「４０Ｅ」を繰り越した繰越炭Ｕだけは、最後尾に位置する石炭バンカ１０Ｆに繰り越されることとなる。
【００４１】
尚、参考のため説明を付け加えておくと、本明細書において１段目、２段目など「段」の文言はスクレーパ装置の作動段数を表しており、１段目であれば、１番目に作動したことを意味し、２段目であれば、２番目に作動したことを意味する。
【００４２】
４．効果説明
本実施形態では、スクレーパ装置４０を２段作動させている。そのため、１段目のスクレーパ装置４０を繰越した繰越炭を２段目のスクレーパ装置４０Ｅのスクレーパ本体４１にて石炭バンカ１０Ｅに振り分けることができる。また、２段目は１段目と同様に壁の高いスクレーパ本体４１であるから、１段目のスクレーパ本体４１の上を通過するような石炭塊の多くを、２段目のスクレーパ本体４１で石炭バンカ１０に振り分けることが可能であり、繰越炭Ｕの低減効果が高い。しかも、振り分け先の石炭バンカ１０は、稼働中の石炭バンカ１０Ｅであるから、振り分けられた繰越炭Ｕは発電に回されて消費されることとなり、バンカ内にて溜まることがない。
【００４３】
仮に、繰越炭Ｕに対する処理を何も行わないとすると、図４に示すように、繰越炭Ｕは、最下流の石炭バンカ１０Ｆに対して全て送られ、そこで、溜まってしまう。最下流の石炭バンカ１０Ｆが稼働中であれば、それら繰越炭Ｕは消費されるものの、最下流の石炭バンカ１０Ｆが休止中である場合には、それら繰越炭Ｕは消費されないままどんどん溜まってしまう。
【００４４】
このような、繰越炭Ｕを放置しておくと、そのうち、繰越炭Ｕが石炭バンカ１０から溢れてコンベアに干渉する恐れがあるから、溜まらないように、繰越炭Ｕを定期的に除去する作業を行う必要があり、手間と労力がかかる。しかし本実施形態では、このような繰越炭Ｕを大幅に低減させることが可能となるので、これらの作業をほとんど行う必要がなくなる。
【００４５】
また、この処理方法は、スクレーパ装置４０の作動パターンを「２段作動のパターン」にするものであり、スクレーパ装置４０は既存のものをそのまま使うことができる。そのため、発電プラントＰを稼働させたままでも適用可能であり、また、改造費など余分なコストもかからない。
【００４６】
また、この実施形態では、繰越炭Ｕを、スクレーパ装置４０Ｅによって石炭バンカ１０Ｅに対して振り分けるようにした。繰越炭Ｕの振り分け用として使用するスクレーパ装置４０は、必ずしも１つのスクレーパ装置４０に固定する必要はなく、一定の条件（下記（ａ）、（ｂ）の条件）さえ満たせば、各回ごとに切り替えることも無論可能である（図９参照）。
【００４７】
ただ、本実施形態のように、繰越炭Ｕを振り分けるスクレーパ装置４０を固定しておけば、スクレーパ装置４０を上げ下げする回数が減るというメリットがある。
【００４８】
・条件（ａ）繰り越しを発生させた１段目のスクレーパ装置から見て、それより下流に配置された他のスクレーパ装置であること。
・条件（ｂ）稼働中の石炭バンカに対応したスクレーパ装置であること。
【００４９】
＜実施形態２＞
次に、本発明の実施形態２を図１０によって説明する。実施形態２は、第一発電プラント用のバンカ群ＢＫ１と第二発電プラント用のバンカ群ＢＫ２に対して共通のコンベア３１によって石炭を供給する場合における繰越炭Ｕの処理方法を説明する。
【００５０】
尚、図１０に示すように、バンカ群ＢＫ１は、１０Ａ〜１０Ｆの合計６台の石炭バンカから構成されており、各石炭バンカ１０Ａ〜１０Ｆには、それに対応してそれぞれ、スクレーパ装置４０Ａ〜４０Ｆが設置されている。また、バンカ群ＢＫ２は、１０Ｇ〜１０Ｌの合計６台の石炭バンカから構成されており、最下流の石炭バンカ１０Ｌを除く各石炭バンカ１０Ｇ〜１０Ｋには、それに対応してそれぞれ、スクレーパ装置４０Ｇ〜４０Ｋが設置されている。
【００５１】
さて、この実施形態２では、上流側のバンカ群ＢＫ１にて発生した繰越炭Ｕを振り分けるにあたり、下記条件（ａ）〜（ｃ）を適用して振り分け用のスクレーパ装置（２段目のスクレーパ装置）４０を選択することとしている。
【００５２】
・条件（ａ）繰り越しを発生させた１段目のスクレーパ装置から見て、それより下流に配置された他のスクレーパ装置であること。
・条件（ｂ）稼働中の石炭バンカに対応したスクレーパ装置であること。
・条件（ｃ）同じバンカ群（同一発電プラント）から選択すること。
【００５３】
このようにすることで、上流側のバンカ群ＢＫ１にて発生した繰越炭Ｕは、バンカ群ＢＫ１を構成する１０Ｂ〜１０Ｆのいずれかの石炭バンカに振り分けられる。従って、上流側の発電プラント用の石炭（繰越炭Ｕ）が持ち越されて、下流側に位置する発電プラントの石炭バンカ１０に混ざることを防止できる。尚、石炭の混合を回避するのは、各発電プラントＰは使用する石炭の種類が異なる場合があるからである。
【００５４】
＜実施形態３＞
次に、本発明の実施形態３を図１１〜図２０によって説明する。実施形態３は、実施形態１にて説明した繰越炭Ｕの処理方法を発展させたものであり、その特徴を大まかに言えば、次の２点を挙げることができる。
【００５５】
・１点目としては、繰越炭Ｕを貯炭レベルの低い石炭バンカ１０に振り分ける制御を実行している点である。
・２点目としては、繰越炭Ｕの振り分け先である２段目のスクレーパ装置４０に位置する石炭バンカ１０の貯炭レベルが規定値１になることを条件に、３段目のスクレーパ装置４０を作動させて繰越炭Ｕを複数の石炭バンカ１０に振り分けるようにした点である。
【００５６】
以下、石炭を供給する石炭供給システムＳのシステム構成を図１１を参照して説明し、その後、コントローラ１００の下、実行される石炭の振り分けシーケンスを図１４ないし図２０を参照して説明する。
【００５７】
石炭供給システムＳは、大まかには、コンベア３１と、コンベア３１上に設けられたスクレーパ装置４０Ａ〜４０Ｆと、スクレーパ装置４０Ａ〜４０Ｆを制御するコントローラ１００とを主体に構成されている。
【００５８】
コントローラ１００は、制御部１１０と、到達時間演算部１２０と、２つの記憶部１４１、１４２と、増加率演算部１３０と、を備えている。記憶部１４１は隣接する２つのスクレーパ装置（具体的には、スクレーパ本体）の距離Ｌｐを記憶しておくものである。また、記憶部１４２は、規定値１のデータと規定値２のデータとを記憶しておくものである。
【００５９】
図１２を参照して規定値１と規定値２について説明する。規定値１、規定値２は、いずれも石炭バンカ１０の貯炭レベルを指すものであり、規定値１は、バンカ内が石炭で満杯となる満杯レベルに対して、ユーザが任意に定めた余裕分Δ１だけ低いレベルとなっている。また、規定値２は、満杯レベルと規定値１の間のレベルであって、満杯レベルに対して、ユーザが任意に定めたΔ２だけ低いレベルとなっている。
【００６０】
また、図１２に示す符号１５０はレベル検出センサである。レベル検出センサ１５０は石炭バンカ１０の貯炭レベルを検出するものであり、各石炭バンカ１０の上方部にそれぞれ設けられている。各石炭バンカ１０Ａ〜１０Ｆに設けられたレベル検出センサ１５０Ａ〜１５０Ｆの出力ラインは、図１１にて示すように、コントローラ１００に連なっており、レベル検出センサ１５０Ａ〜１５０Ｆの出力信号（すなわち、各石炭バンカ１０Ａ〜１０Ｆの貯炭レベルのデータ）が、コントローラ１００に対して取り込まれる構成となっている。
【００６１】
また、図１１に示す符号１６０は速度検出センサである。速度検出センサ１６０はコンベア３１の搬送速度Ｖを検出する機能を果たすものである。速度検出センサ１６０の出力ラインは、レベル検出センサ１５０と同じくコントローラ１００に連なっており、出力信号（すなわち、コンベア３１の搬送速度Ｖのデータ）が、コントローラ１００に対して取り込まれる構成となっている。
【００６２】
増加率演算部１３０は、各レベル検出センサ１５０（１５０Ａ〜１５０Ｆの総称）から出力される出力信号（すなわち、各石炭バンカ１０の貯炭レベルのデータ）に基づいて、各石炭バンカ１０の貯炭レベルの増加率（単位時間当たりの貯炭レベルの上昇量）を演算する機能を担うものである。
【００６３】
到達時間演算部１２０は、各石炭バンカ１０について、貯炭レベルが規定値２のレベルに達するまでの到達時間Ｔａを算出する機能を果たすものである。尚、到達時間Ｔａは、記憶部１４２に記憶された規定値２のデータと、レベル検出センサ１５０から取り込まれる石炭バンカ１０の貯炭レベルのデータと、増加率演算部１３０にて算出された貯炭レベルの増加率から算出することができる。
【００６４】
制御部１１０は、各記憶部１４１、１４２に記憶されたデータ、各検出センサ１５０、１６０から取り込まれる出力信号、各演算部１２０、１３０にて行われる演算結果のデータに基づいて各スクレーパ装置４０を作動させるか否かを判定する機能、及びその結果（判定結果）に従って、各スクレーパ装置４０Ａ〜４０Ｆを制御する機能を果たすものである。
【００６５】
続いて、コントローラ１００の下に実行される石炭振り分けシーケンスを説明する。尚、この例では、図１３に示すようにバンカ群ＢＫは実施形態１の場合と同様に１０Ａ〜１０Ｆの６台の石炭バンカから構成されているものとし、６台すべての石炭バンカ１０Ａ〜１０Ｆに対してスクレーパ装置４０Ａ〜４０Ｆがそれぞれ設置してあるものとする。
【００６６】
さて、図１４にて示すように、石炭の搬送が開始されると、まず、Ｓ１０にて、石炭供給対象の石炭バンカ１０に設けられたスクレーパ装置４０を作動させる処理がコントローラ１００にて実行される。例えば、石炭供給対象の石炭バンカ１０が１台目の石炭バンカ１０Ａであれば、コントローラ１００から１台目のスクレーパ装置４０Ａに対して作動指令が与えられる。
【００６７】
すると、１台目のスクレーパ装置４０Ａのリフト装置４５が駆動してコンベアベルト３５を持ち上げてゆく。これにより、コンベアベルト３５はスクレーパ本体４１に接近した状態となることから、コンベア３１上を送られる石炭は、スクレーパ装置４０Ａを通過するときに、１台目の石炭バンカ１０Ａに振り分けられることとなる（１段目のスクレーパ装置４０Ａを作動）。尚、コントローラ１００が実行するＳ１０の処理により、本発明の「第一処理」が実現されている。
【００６８】
次に、Ｓ２０では、作動させた１段目のスクレーパ装置４０の位置を判定する処理がコントローラ１００にて行われる。具体的には、作動させたスクレーパ装置４０が、最下流の石炭バンカ１０Ｆに対応するスクレーパ装置４０Ｆであるか否かが判定される。この例では、１段目のスクレーパ装置４０Ａは最下流でないから、ＮＯ判定され、次にＳ３０の処理が行われることとなる。
【００６９】
尚、Ｓ２０の判定処理でＹＥＳの判定がされる場合（すなわち、１段目のスクレーパ装置が最下流に位置する４０Ｆである場合）は、その後、Ｓ２５の処理に移る。Ｓ２５に移行した場合、１段目のスクレーパ装置４０のみ使用して石炭の振り分けが行われる。
【００７０】
さて、Ｓ３０では、コントローラ１００により、作動させる２段目候補のスクレーパ装置４０を選択する処理が行われる。これにより、１段目のスクレーパ装置４０を除く、残りのスクレーパ装置４０の中から１つのスクレーパ装置４０が選択されることとなる。今、１段目のスクレーパ装置は「４０Ａ」であり、それを除くスクレーパ装置は「４０Ｂ」〜「４０Ｆ」の５台であるから、この内から１台のスクレーパ装置４０が選択されることとなる。
【００７１】
Ｓ３０にて、２段目候補のスクレーパ装置４０が選択されると、次にＳ４０に移行する。そして、Ｓ４０では選択した２段目候補のスクレーパ装置４０が１段目のスクレーパ装置に比べて下流に位置するかどうかがコントローラ１００の制御部１１０にて判定される。下流側にあれば、ＹＥＳ判定され、処理はＳ５０に移る。
【００７２】
尚、Ｓ４０の判定処理でＮＯの判定がされる場合は、その後、Ｓ４５の処理に移る。Ｓ４５に移行した場合、２段目候補のスクレーパ装置４０を再選択する処理が行われ、その後、再選択されたスクレーパ装置４０についてＳ４０の判定処理が行われることとなる。
【００７３】
次に、Ｓ５０では、レベル検出センサ１５０の出力信号に基づいて、選択した２段目候補のスクレーパ装置４０の石炭バンカ１０について、貯炭レベルを判定する処理がコントローラ１００の制御部１１０にて行われる。具体的には、その石炭バンカ１０の貯炭レベルが、１段目のスクレーパ装置４０に対応する石炭バンカ１０Ａから見てそれより下流側に位置する石炭バンカ１０の中で最低レベルにあるか、どうかが判定される。
【００７４】
尚、Ｓ５０の判定処理でＮＯ判定される場合は、その後、Ｓ５５の処理に移る。Ｓ５５に移行した場合、２段目候補のスクレーパ装置４０を再選択する処理が行われ、その後、再選択された２段目候補のスクレーパ装置４０についてＳ４０の判定処理が行われることとなる。
【００７５】
これらＳ４０とＳ５０の判定処理を行うことで、１段目の石炭バンカ（ここでは、１０Ａ）より下流側にあって、かつ貯炭レベルが最も低いレベルの石炭バンカ１０に対応するスクレーパ装置４０が、２段目候補のスクレーパ装置４０として選択されることとなる。ここでは、先頭から数えて４台目の石炭バンカ１０Ｄに対応するスクレーパ装置「４０Ｄ」が、２段目候補に選択されたものとして説明を続ける。
【００７６】
さて、Ｓ５０でＹＥＳ判定されると、次に、Ｓ６０の処理が行われる。このＳ６０では、選択された２段目候補のスクレーパ装置４０を、２段目のスクレーパ装置として作動させる処理がコントローラ１００の制御部１１０にて実行される。ここでは、２段目候補として先頭から４台目のスクレーパ装置「４０Ｄ」が選択されているから、コントローラ１００の制御部１１０から４台目のスクレーパ装置「４０Ｄ」に対して作動指令が与えられる。すると、４台目のスクレーパ装置「４０Ｄ」のリフト装置４５が作動開始して、コンベアベルト３５を持ち上げてゆく。これにて、コンベアベルト３５がスクレーパ本体４１に接近した状態となる（２段目のスクレーパ装置４０Ｄを作動）。
【００７７】
この段階では、図１３に示すように、スクレーパ装置４０は、２つのスクレーパ装置「４０Ａ」、「４０Ｄ」による２段の作動状態となる。その結果、コンベア３１上を送られる石炭は、まず１段目のスクレーパ装置「４０Ａ」にて石炭バンカ１０Ａへと振り分けられ、１段目のスクレーパ装置「４０Ａ」を繰り越した繰越炭Ｕは、２段目のスクレーパ装置「４０Ｄ」により石炭バンカ１０Ｄへ振り分けられることとなる。尚、コントローラ１００が実行するＳ２０〜Ｓ６０の処理により本発明の「第二処理」が実現されている。
【００７８】
さて、Ｓ６０にて２段目のスクレーパ装置４０Ｄが作動を開始すると、処理はＳ７０に移行される。そしてＳ７０では、レベル検出センサ１５０Ｄの出力信号（貯炭レベルのデータ）に基づいて、２段目のスクレーパ装置「４０Ｄ」の石炭バンカ１０Ｄの貯炭レベルが「規定値１」以上か、判定する処理がコントローラ１００の制御部１１０により実行される。
【００７９】
２段目のスクレーパ装置４０Ｄは、既に説明したように、貯炭レベルの低い石炭バンカ１０のものを選択してあるから、作動直後は、規定値１を下回る状態にあり、通常、Ｓ７０ではＮＯ判定される。しかし、石炭バンカ１０Ｄの貯炭レベルは、繰越炭Ｕにより次第に上昇してゆく。この間、石炭の振り分けシーケンスは図１４に示すＳ７０の処理を繰り返す状態になる。
【００８０】
そして、石炭バンカ１０Ｄの貯炭レベルが、満杯レベルに近づいて規定値１に達すると、Ｓ７０にて判定処理を行ったときにＹＥＳ判定される。これにて、Ｓ７０の処理を抜けて、次のＳ８０の処理に移行する。
【００８１】
Ｓ８０では、１段目のスクレーパ装置４０Ａが最下流から２台目かどうかが、コントローラ１００の制御部１１０により判定される。最下流から２台目のスクレーパ装置は「４０Ｅ」であり、１段目のスクレーパ装置「４０Ａ」は、最下流から２台目ではないので、ここでは、ＮＯ判定される。ＮＯ判定された場合、次にＳ９０の処理が実行される。
【００８２】
Ｓ９０では、コントローラ１００の制御部１１０により、３段目候補のスクレーパ装置４０を選択する処理が行われる。これにより、１段目のスクレーパ装置４０を除く、残りのスクレーパ装置４０の中から１つのスクレーパ装置４０が選択されることとなる。今、１段目のスクレーパ装置は「４０Ａ」であり、それを除くスクレーパ装置は「４０Ｂ」〜「４０Ｆ」の５台であるから、この内から１台のスクレーパ装置４０が選択されることとなる。
【００８３】
Ｓ９０にて３段目候補のスクレーパ装置４０が選択されると、次に、Ｓ１００に移行して、選択した３段目候補のスクレーパ装置４０の石炭バンカ１０について、貯炭レベルを判定する処理がコントローラ１００の制御部１１０にて行われる。具体的には、その石炭バンカ１０の貯炭レベルが、１段目のスクレーパ装置４０に対応する石炭バンカ１０から見てそれより下流側に位置する石炭バンカの中で最低レベルであり、かつ規定値１以下か判定される。これは、その時点におけるレベル検出センサ１５０の出力信号のデータに基づいて判定される。
【００８４】
Ｓ１００の判定処理でＮＯ判定される場合（すなわち、３段目候補のスクレーパ装置４０が最低レベルでない場合など）は、その後、Ｓ１０５の処理に移る。Ｓ１０５に移行した場合、コントローラ１００の制御部１１０にて３段目候補のスクレーパ装置４０を再選択する処理が行われ、その後、再選択された３段目候補のスクレーパ装置４０についてＳ１００の判定処理が行われることとなる。
【００８５】
このような処理を繰り返すことで、判定条件（貯炭レベルが最低レベルであり、かつ規定値１以下）を満たす石炭バンカ１０のスクレーパ装置４０Ｂ〜４０Ｆが選択されたときに、Ｓ１００にてＹＥＳ判定され、Ｓ１００の処理を抜ける。
【００８６】
Ｓ１００の処理を抜けると、次にＳ１１０の処理が行われることとなる。Ｓ１１０では、コントローラ１００の制御部１１０により、選択された３段目候補のスクレーパ装置４０が２段目のスクレーパ装置４０と同じかどうか判定される。今、２段目のスクレーパ装置は「４０Ｄ」であるから、Ｓ１００にて選択された３段目候補のスクレーパ装置が「４０Ｄ」以外であれば、ＮＯ判定され、次のＳ１２０の処理に移る。
【００８７】
続く、Ｓ１２０では、Ｓ１００にて選択された３段目候補のスクレーパ装置４０が、２段目のスクレーパ装置４０から見て上流側にあるかが、コントローラ１００の制御部１１０にて判定される。今、２段目のスクレーパ装置４０は、先頭から数えて４台目の「４０Ｄ」である。そのため、３段目候補として、「４０Ｄ」から見て下流側にあたる「４０Ｅ」、「４０Ｆ」のいずれかのスクレーパ装置４０が選択された場合には、ＮＯ判定され、次のＳ１３０の処理に移る。
【００８８】
以下、図１５にて示すように、３段目のスクレーパ装置４０に、先頭から数えて５台目にあたるスクレーパ装置「４０Ｅ」が選択された場合を例にとって、Ｓ１３０以降の処理内容を説明する。
【００８９】
Ｓ１３０では、図１６に示すように、２段目のスクレーパ装置「４０Ｄ」の石炭バンカ１０Ｄについて、貯炭レベルの増加率（単位時間当たりの貯炭レベルの上昇量）を計算する処理が、コントローラ１００の増加率演算部１３０にて実行される。
【００９０】
続く、Ｓ１４０では、Ｓ１３０にて算出した貯炭レベルの増加率と、レベル検出センサ１５０Ｄから出力される出力信号のデータに基づいて、２段目のスクレーパ装置４０Ｄの石炭バンカ１０Ｄの貯炭レベルが、規定値２に達するまでの到達時間Ｔａがまず算出される。そして、到達時間Ｔａが算出されると、今度は、到達時間Ｔａを規定時間Ｔと比較する処理が行われる。
【００９１】
ここで、規定時間Ｔとは、１段目のスクレーパ装置から２段目のスクレーパ装置までの距離Ｌを、コンベア３１の搬送速度Ｖにて除算した時間である（図１７参照）。
【００９２】
Ｔ＝Ｌｐ／Ｖ
Ｌｐ・・１段目のスクレーパ装置から２段目のスクレーパ装置までの距離
Ｖ・・・コンベアの搬送速度
尚、規定時間Ｔには、ユーザが任意に設定した余裕時間αを加える設定にしてもよい。
【００９３】
今、算出した到達時間Ｔａが規定時間Ｔより長かったとすると、その場合、貯炭レベルは規定時間Ｔ内に規定値２にならないから、Ｓ１４０ではＮＯ判定される。この場合、石炭の振り分けシーケンスは、図１６に示すように、Ｓ１４０の処理を繰り返す状態となる。そして、Ｓ１４０の処理が繰り返される間、石炭バンカ１０Ｄの貯炭レベルは繰越炭の投炭により上昇するため、到達時間Ｔａは次第に短くなってゆく。
【００９４】
そして、到達時間Ｔａが規定時間Ｔより短くなる（言い換えれば、石炭バンカ１０Ａの貯炭レベルが満杯により近づいてくる）と、Ｓ１４０でＹＥＳ判定される。これにより、Ｓ１４０の処理を繰り返す状態から抜けて、Ｓ１５０の処理に移る。
【００９５】
Ｓ１５０では、選択された３段目候補のスクレーパ装置４０を作動させる処理がコントローラ１００の制御部１１０にて実行される。ここでは、３段目候補として先頭から５台目のスクレーパ装置「４０Ｅ」が選択されているから、コントローラ１００から５台目のスクレーパ装置４０Ｅに対して作動指令が与えられる。すると、５台目のスクレーパ装置「４０Ｅ」のリフト装置４５が作動開始してコンベアベルト３５を持ち上げてゆく。これにて、コンベアベルト３５がスクレーパ本体４１に接近した状態となる（３段目のスクレーパ装置４０Ｅを作動）。
【００９６】
この段階では、図１５に示すように、スクレーパ装置「４０Ａ」、スクレーパ装置「４０Ｄ」、スクレーパ装置「４０Ｅ」の３段が同時作動する状態となる。このとき、コンベア３１を送られる石炭は、１段目のスクレーパ装置４０Ａにより、先頭の石炭バンカ「１０Ａ」に振り分けられ、１段目のスクレーパ装置「４０Ａ」を繰り越した繰越炭Ｕが２段目のスクレーパ装置「４０Ｄ」により、石炭バンカ「１０Ｄ」に振り分けられる状態となる。
【００９７】
それ以降は、Ｓ１６０にて、２段目のスクレーパ装置４０Ｄの石炭バンカ１０Ｄの貯炭レベルが規定値２以上か判定する処理が、レベル検出センサ１５０の出力信号に基づいてコントローラ１００の制御部１１０にて行われる。
【００９８】
このＳ１６０の処理は、石炭バンカ１０Ｄの貯炭レベルが規定値２以上になるまで繰り返される。そして、石炭バンカ１０Ｄの貯炭レベルが規定値２以上になると、Ｓ１６０の判定処理がＹＥＳ判定され、処理はＳ１６５に移る。
【００９９】
Ｓ１６５では、２段目のスクレーパ装置「４０Ｄ」を停止させる処理がコントローラ１００にて実行される。具体的には、コントローラ１００の制御部１１０から２台目のスクレーパ装置４０Ｄに対して停止指令が与えられる。すると、２段目のスクレーパ装置４０Ｄのリフト装置４５が駆動してコンベアベルト３５を下降させる。これにより、コンベアベルト３５がスクレーパ本体４１から離間する結果、スクレーパ装置「４０Ｄ」は停止する。そのため、それ以降は、図１８に示すように、スクレーパ装置は、「４０Ａ」と「４０Ｅ」の作動状態となり、１段目のスクレーパ装置「４０Ａ」の繰越炭Ｕは、３段目のスクレーパ装置「４０Ｅ」によって石炭バンカ「１０Ｅ」に振り分けられる。
尚、Ｓ１６５の処理が完了すると、処理はＳ１６７に移って、３段目のスクレーパ装置を２段目のスクレーパ装置として取り扱うように設定が変更されるので、以降は、３段目のスクレーパ装置「４０Ｅ」が２段目として取り扱われることとなる。
【０１００】
続く、Ｓ１７０では、１段目より下流の石炭バンカ１０の貯炭レベルが、全て規定値１以上であるかどうかを判定する処理が、レベル検出センサ１５０の出力信号に基づいてコントローラ１００の制御部１１０にて行われる。ここでは、「１０Ａ」が１段目の石炭バンカだから、「１０Ｂ」〜「１０Ｆ」の石炭バンカのうち貯炭レベルが規定値１を下回るものが１つでもあれば、ＮＯ判定されることとなる。
【０１０１】
Ｓ１７０でＮＯ判定される場合は、図１４に示すＳ７０に戻り、２段目のスクレーパ装置「４０Ｅ」の石炭バンカ１０Ｅの貯炭レベルを判定する処理が行われる。そして、２段目となったスクレーパ装置「４０Ｅ」の石炭バンカ１０Ｅの貯炭レベルが規定値１に達すると、Ｓ７０の処理を抜けて、Ｓ８０以降のステップに処理が移る。そして、Ｓ９０、Ｓ１０５で、新たに３段目候補のスクレーパ装置４０が選定され、Ｓ１２０で、選択した３段目候補のスクレーパ装置が２段目より上流かどうかが判定されるここととなる。
【０１０２】
以下、図１９に示すように、先頭から数えて３台目のスクレーパ装置「４０Ｃ」が３段目候補に選択された場合を説明する。
【０１０３】
この場合、３段目候補のスクレー装置「４０Ｃ」は、２段目のスクレーパ装置「４０Ｅ」より上流にあるから、Ｓ１２０ではＹＥＳ判定される。その後、図２０に示すように、処理はＳ１５０に移行する。Ｓ１５０では、選択された３段目候補を３段目としてスクレーパ装置４０を作動させる処理がコントローラ１００の制御部１１０にて実行される。
【０１０４】
従って、ここでは、３段目候補として先頭から３台目のスクレーパ装置「４０Ｃ」が選択されているから、コントローラ１００の制御部１１０から３台目のスクレーパ装置「４０Ｃ」に対して作動指令が与えられる。すると、３台目のスクレーパ装置「４０Ｃ」のリフト装置４５が作動開始してコンベアベルト３５を持ち上げてゆく。これにて、コンベアベルト３５がスクレーパ本体４１に接近した状態となる（３段目のスクレーパ装置４０Ｃを作動）。
【０１０５】
この段階では、図１９に示すように、スクレーパ装置「４０Ａ」、スクレーパ装置「４０Ｃ」、スクレーパ装置「４０Ｅ」の３段が同時作動する状態となる。このとき、コンベア３１を送られる石炭は、１段目のスクレーパ装置４０Ａにより、先頭の石炭バンカ１０Ａに振り分けられ、１段目のスクレーパ装置「４０Ａ」を繰り越した繰越炭Ｕが３段目のスクレーパ装置「４０Ｃ」により、石炭バンカ「１０Ｃ」に振り分けられる。そして、スクレーパ装置「４０Ｃ」を繰り越した繰越炭Ｕが２段目のスクレーパ装置「４０Ｅ」によって、石炭バンカ「１０Ｅ」に振り分けられる。
【０１０６】
その後、コントローラ１００ではＳ１６０の処理が行われる。これらＳ１６０の処理は、既に説明した通りであり、２段目のスクレーパ装置の石炭バンカ（ここでは、「１０Ｅ」の石炭バンカ）の貯炭レベルが規定値２以上であるかが、コントローラ１００の制御部１１０にて判定される。
【０１０７】
そして、石炭バンカ「１０Ｅ」の貯炭レベルが規定値２以上になると、Ｓ１６０でＹＥＳ判定され、Ｓ１６５に処理は移る。このＳ１６５では、２段目のスクレーパ装置４０Ｄを停止させる処理がコントローラ１００にて実行される。これにより、スクレーパ装置４０Ｅは停止する。そのため、それ以降は、スクレーパ装置は、「４０Ａ」と「４０Ｃ」の作動状態となる。尚、Ｓ１６５の処理が完了すると、処理はＳ１６７に移って、３段目のスクレーパ装置を２段目のスクレーパ装置として取り扱うように設定が変更されるので、以降は、３段目のスクレーパ装置「４０Ｃ」が２段目として取り扱われることとなる。
【０１０８】
続く、Ｓ１７０では、１段目より下流の石炭バンカ１０の貯炭レベルが、全て規定値１以上であるかどうかを判定する処理がコントローラ１００の制御部１１０にて行われる。ここでは、「１０Ａ」が１段目の石炭バンカだから、「１０Ｂ」〜「１０Ｆ」の石炭バンカのうち貯炭レベルが規定値１を下回るものが１つでもあれば、ＮＯ判定されることとなる。
【０１０９】
Ｓ１７０でＮＯ判定される場合は、図１４に示すＳ７０に戻り、２段目のスクレーパ装置「４０Ｃ」の石炭バンカ１０Ｃの貯炭レベルを判定する処理が行われる。そして、２段目となったスクレーパ装置「４０Ｃ」の石炭バンカ１０Ｃの貯炭レベルが規定値１に達すると、Ｓ７０の処理を抜けて、Ｓ８０以降のステップに処理が移る。そして、Ｓ９０、Ｓ１０５で、新たに３段目候補のスクレーパ装置４０が選定され、Ｓ１２０で、選択した３段目候補のスクレーパ装置が２段目より上流かどうかが判定されるここととなる。
【０１１０】
これらＳ７０〜Ｓ１６７の処理は、１段目より下流の石炭バンカ１０のうち貯炭レベルが規定値１を下回っているものが１つでもあれば、その間は繰り返される。以上のことから、１段目の石炭バンカ「４０Ａ」より下流の石炭バンカ「４０Ｂ」〜「４０Ｆ」で、貯炭レベルが規定値１を下回っているものが１つでもある間は、貯炭レベルの低い石炭バンカ１０のスクレーパ装置４０が、新たな３段目候補として順々に選択され、それを使用して１段目のスクレーパ装置４０Ａを繰り越した繰越炭が、下流の石炭バンカ１０に振り分けられる。
【０１１１】
そして、１段目の石炭バンカ「１０Ａ」より下流に位置する各石炭バンカ「１０Ｂ〜１０Ｆ」の貯炭レベルが、全て規定値１を上回る状態になると、Ｓ１７０にてＹＥＳ判定され、処理はＳ１８０に移る。
【０１１２】
Ｓ１８０では、コンベア３１を停止させて石炭の送炭を停止させる処理がコントローラ１００の制御部１１０により行われる。以上をもって、一連の石炭振り分けシーケンスは終了する。尚、コンベア３１を停止させる代わりに警報発信して繰越炭Ｕを投入する石炭バンカが満杯になったことを知らせるようにしても良い。
【０１１３】
また、Ｓ８０、Ｓ１１０でＹＥＳ判定される場合（いずれも３段目候補を選択できないケース）では、その時点でコンベア３１による送炭は停止され、一連の石炭振り分けシーケンスは終了する。
【０１１４】
本例の石炭振り分けシーケンスによれば、１段目を除いて貯炭レベルが最も低い石炭バンカ１０を、繰越炭Ｕの振り分け先（２段目）に指定している。貯炭レベルの低い石炭バンカ１０は、貯炭レベルが高いものに比べて満杯に至るまでに投炭できる投炭量が多いから、多量の繰越炭Ｕを処理することが可能となる。
【０１１５】
また、２段目のスクレーパ装置４０Ｄの石炭バンカ１０Ｄが満杯レベルに近くなる（貯炭レベルが規定値１以上であって、尚かつ規定時間Ｔ内に規定値２に達する見込みになる）と、一時的に、スクレーパ装置４０を３段の作動状態としている。そして、２段目のスクレーパ装置４０Ｄの石炭バンカ１０Ｄの貯炭レベルが、満杯レベルに近い規定値２になると、２段目のスクレーパ装置４０Ｄについては、これ停止させて、１段目のスクレーパ装置４０Ａの繰越炭Ｕの振り分け先を、３段目のスクレーパ装置４０Ｅの石炭バンカ１０Ａに切り替えるようにしている。  
【０１１６】
このようにすることで、繰越炭Ｕの振り分け先となる２段目の石炭バンカ１０Ｄに対して繰越炭Ｕが過剰に振り分けられることを防止することが可能となり、２段目の石炭バンカ１０Ｄの貯炭レベルが満杯レベルを超えるがない。仮に、貯炭レベルが満杯レベルを超えると、バンカ上に盛られた繰越炭Ｕがコンベアベルト３５に干渉、接触してコンベア３１の駆動に支障を与えることが懸念されるが、本例であれば、そのような心配がない。しかも、２段目のスクレーパ装置４０Ｄを停止させたときに、タイムラグが出来ず、１段目の繰越炭Ｕを、３段目の石炭バンカ「１０Ｅ」に即座に振り分けることができる。
【０１１７】
＜他の実施形態＞
本発明は上記記述及び図面によって説明した実施形態に限定されるものではなく、例えば次のような実施形態も本発明の技術的
範囲に含まれる。
【０１１８】
（１）スクレーパ装置４０として、スクレーパ本体４１を固定構造としてコンベアベルト３５側を昇降させるものを例示したが、構成を反転させて、コンベアベルト３５を固定構造としてスクレーパ本体４１側を昇降させるようにすることも可能である。
【０１１９】
（２）実施形態１〜３では、各石炭バンカ１０に対して一のコンベア３１によって石炭を搬送する例を挙げたが、複数のコンベア３１を並列的に並べて複数のコンベア３１によって石炭を送るようにしてもよい。
【符号の説明】
【０１２０】
１０（１０Ａ〜１０Ｆの総称）…石炭バンカ
３０…供給装置
３１…コンベア
３５…コンベアベルト
４０（４０Ａ〜４０Ｆの総称）…スクレーパ装置
４１…スクレーパ本体
４５…リフト装置
１００…コントローラ
１１０…制御部
１５０（１５０Ａ〜１５０Ｆの総称）…レベル検出センサ
１６０…速度検出センサ
Ｐ…発電プラント
Ｓ…石炭供給システム
Ｕ…繰越炭
【図１】
2011251809.tif 000003
【図２】
2011251809.tif 000004
【図３】
2011251809.tif 000005
【図４】
2011251809.tif 000006
【図５】
2011251809.tif 000007
【図６】
2011251809.tif 000008
【図７】
2011251809.tif 000009
【図８】
2011251809.tif 000010
【図９】
2011251809.tif 000011
【図１０】
2011251809.tif 000012
【図１１】
2011251809.tif 000013
【図１２】
2011251809.tif 000014
【図１３】
2011251809.tif 000015
【図１４】
2011251809.tif 000016
【図１５】
2011251809.tif 000017
【図１６】
2011251809.tif 000018
【図１７】
2011251809.tif 000019
【図１８】
2011251809.tif 000020
【図１９】
2011251809.tif 000021
【図２０】
2011251809.tif 000022